(57)【要約】　　　（修正有）【課題】装置の極端な小型化を考慮して、接触装置のとくに扁平な構造様式、及び他方において十分な接触力の確保を図る。【解決手段】接触装置１０が、絶縁材料からなる接点支持体１１を含み、この接点支持体が、少なくとも１つの接点１２を含み、この接点が、電子回路３４に接触するための接点区間１４の他に、曲げ部２０によって互いに結合されかつ互いに少なくとも部分的に重なり合った少なくとも２つの別の接点区間１３，１５を有し、これらの接点区間のうちの一方が、接点支持体１１内に接点１２を保持するために係止区間１５として使われ、かつこれらの接点区間のうちの他方が、機能部分３５に接触するためにばね区間１３として形成されている、装置内における電気機能部分を導通接続する【選択図】図７
2004111364.tif 000002
【特許請求の範囲】
【請求項１】
接触装置（１０）が、絶縁材料からなる接点支持体（１１）を含み、この接点支持体が、少なくとも１つの接点（１２）を含み、この接点が、電子回路（３４）に接触するための接点区間（１４）の他に、曲げ部（２０）によって互いに結合されかつ互いに少なくとも部分的に重なり合った少なくとも２つの別の接点区間（１３；１５）を有し、これらの接点区間のうちの一方が、接点支持体（１１）内に接点（１２）を保持するために係止区間（１５）として使われ、かつこれらの接点区間のうちの他方が、機能部分（３５）に接触するためにばね区間（１３）として形成されている、装置内における電気機能部分を導通接続するための、とくに装置内にある電子回路（３４）を電圧源（３５）に接続するための電気接触装置（１０）において、ばね区間（１３）に圧力を加えた際に、端部区間（２４）が、係止区間（１５）を通過することができるように、係止区間（１５）及びばね区間（１３）の端部区間（２４）が、形成されており、かつ／又は互いに対応していることを特徴とする、装置内における電気機能部分を導通接続するための、とくに装置内にある電子回路（３４）を電圧源（３５）に接続するための電気接触装置（１０）。
【請求項２】
ばね区間（１３）の端部区間（２４）が、支持台片（２７）を形成し、この支持台片が、接点支持体に固定の支持台（２６）の後に支持されていることを特徴とする、請求項１に記載の接触装置。
【請求項３】
ばね区間（１３）が、初応力を受けて接点支持体（１１）内に配置されていることを特徴とする、請求項１又は２に記載の接触装置。
【請求項４】
係止区間（１５）が、支持台片（２７）を通すために通口（３１）又は切離し部を有することを特徴とする、請求項１に記載の接触装置。
【請求項５】
係止区間（１５）が、支持台片（２７）を通すために裂け目を有することを特徴とする、請求項１に記載の接触装置。
【請求項６】
支持台片（２７）が、なるべく縁の近くにおいてばね区間（１３）に配置されて、係止区間（１５）を側方において通過することができることを特徴とする、請求項１に記載の接触装置。
【請求項７】
支持台片（２７）が、係止区間（１５）より狭いことを特徴とする、請求項１ないし６の１つに記載の接触装置。
【請求項８】
電子回路（３４）に接触する接点区間（１４）が、別の曲げ部（２８）によって係止区間（１５）に結合されており、かつこの係止区間に少なくとも部分的に重なっていることを特徴とする、請求項１ないし７の１つに記載の接触装置。
【請求項９】
曲げ部（２０；２８）が、係止区間（１５）の対向する端部範囲に配置されており、かつ接点区間（１３，１４）が、曲げ部（２０，２８）から大体において反対方向に向いていることを特徴とする、請求項８に記載の接触装置。
【発明の詳細な説明】
【０００１】
【発明の属する技術分野】
本発明は、接触装置が、絶縁材料からなる接点支持体を含み、この接点支持体が、少なくとも１つの接点を含み、この接点が、電子回路に接触するための接点区間の他に、曲げ部によって互いに結合されかつ互いに少なくとも部分的に重なり合った少なくとも２つの別の接点区間を有し、これらの接点区間のうちの一方が、接点支持体内に接点を保持するために係止区間として使われ、かつこれらの接点区間のうちの他方が、機能部分に接触するためにばね区間として形成されている、装置内における電気機能部分を導通接続するための、とくに装置内にある電子回路を電圧源に接続するための電気接触装置に関する。
【０００２】
【従来の技術】
このような接触装置は、刊行物によって証明するこことができない公然の先使用によって周知になっている。移動電話の電子回路の接点範囲に蓄電池の極を接続するための３極接触装置が問題になる。それぞれの接点は、大体において直線的な脚を有し、この脚の一方の端部区間は、接点支持体の下側から出ている。この端部区間は、プリント板に接触する接点範囲を有する。この区間の他方の側に、Ｕ型の曲げ部が続いており、かつこれにさらに直線的な区間が続いており、この区間は、第１の区間に対して大体において平行に延びている。この区間は、絶縁ハウジング内に係止されている。ここから対向する曲げ部が出ており、この曲げ部は、ヘアピン状の接点区間に口を開いており、この接点区間は、蓄電池の接点に接触するために使われる。この接点区間は、ばね接点区間であり、かつ蓄電池によって圧力を加えた際に、接点支持体の方向に向かって、かつ部分的にこの中に入るように動かされる。
【０００３】
【発明が解決しようとする課題】
この周知の接触装置は、実際にきわめて良好とわかっているが、一方において不可避の構造公差に関連してこのような装置の極端な小型化を考慮して、接触装置のとくに扁平な構造様式の、及び他方において十分な接触力の確保の要求が存在する。
【０００４】
【課題を解決するための手段】
本発明は、この課題を特許請求の範囲第１項の特徴によって解決し、かつそれに相応してとくに次のような特徴を有する。すなわちばね区間に圧力を加えた際に、端部区間が、係止区間を通過することができるように、係止区間及びばね区間の端部区間が、形成されており、かつ／又は互いに対応している。
【０００５】
支持台片の側からの係止区間の本発明により考慮された通過は、種々の方法で簡単に可能にすることができる。例えば係止区間は、支持台片を通すために通口又は切離し部を有することができる。変形は、係止区間が、支持台片を通すために裂け目を有することにあることができる。別の構成は、支持台片が、なるべく縁の近くにおいてばね区間に配置されて、係止区間を側方において通過できることを考慮することができる。
【０００６】
いずれの場合にも、支持台片が係止区間より狭いので、係止区間を支持台片に通す本発明の特徴が、例えば接点のために追加的な材料需要を条件とする拡張又はその他の処置を接点のどの位置においても必要としない場合、有利である。
【０００７】
本発明の核心は、大体においてばね区間端部が、接点の係止区間を通過できるので、圧力を加えた際に、従来の場合よりも大幅に転向することができる点にある。したがってこの時、ばね区間がさらに接触装置内に動くことができることによって、接触装置は、全体としてきわめて扁平に構成することができる。
【０００８】
なるべくばね区間の端部区間は、支持台片を形成しており、この支持台片は、接点支持体に固定の支持台の後に支持されている。それによりばね区間の端部が、接点支持体内に確実に保護されて収容されており、かつそれにより例えば利用者の側からの不適切な操作によるあらゆる外部の力作用から効果的に逃れることができる。
【０００９】
別の構成において、ばね区間は、初応力を受けて接点支持体内に配置されている。初応力を受けた接点は、圧力負荷の最初にすぐに接点力を構成し、かつ−従来の技術のように−、ある程度の初期運動行程の後に初めて構成するのではない。それにより同様に接触装置の一層わずかな全高が達成でき、このことは、行なうべきばね行程を一層短くする。
【００１０】
したがってこの時、ばね区間がさらに接触装置内に動くことができるようにすることに関連して、接触装置を全体としてきわめて扁平に構成することができ、その際、加えるべき接点力は、常に確実に達成され、しかも不可避に生じる構造的な公差に関係なく達成される。
【００１１】
したがって両方の本発明の特徴−ばね初応力及び接点区間の通過−は、本発明によって求められる問題の解決策に関して、有利なように補い合う。
【００１２】
さらに本発明の接点に関しては、電子回路に接触する接点区間が、別の曲げ部によって係止区間に結合されており、かつこの係止区間に少なくとも部分的に重なっていると有利である。とくに１つの実施例は、曲げ部が、係止区間の対向する端部範囲に配置されており、かつ接点区間が、曲げ部から大体において反対方向に向いていることを考慮している。側面から考慮して、このような接点は、大体においてＳ又はＺ型を有し、その際、中央係止区間の両側に向かう両方の接点区間の接点領域は、少なくともほぼ対向している。それにより両側に導入される接点力は、実質的に同一平面内において有効であり、かつ接点支持体に内部において傾斜負荷をかけない。
【００１３】
【発明の実施の形態】
図面に示した実施例の次の説明によって、本発明はもっとも良好に明らかになる。
【００１４】
全体に１０によって示した電気接触装置は、本実施例において絶縁材料から製造された、とくに射出成形された接点支持体１１、及び通常電気接点のために利用されるような金属からなる互いに同一の３つの接点１２からなる。
【００１５】
図１及び２が示すように、外方に向けられた接点領域を有する接点１２のそれぞれ両方の端部は、接点支持体１１の互いに対向する側においてこの接点支持体のハウジングから突出している。一方の側において接点区間は１３によって示され、かつ他方の側において１４によって示されている。
【００１６】
本発明の実施例において、接触装置１０は、いわゆる“バッテリーコネクタ”として設けられている。この場合、接点区間１３は、バッテリー又は蓄電池によって作用を受け、それに反して接点区間１４は、電子回路板（３４）の導体路に接触している。
【００１７】
図３に相応してそれぞれの接点１２は、−本実施例においてほぼ中央に配置された直線の−区間１５を有し、この区間は、以下において係止区間と称する。この係止区間１５は、接点１２を絶縁接点支持体１１内に固定するために使われる。そのために接点支持体１１は、それぞれ対の溝状案内部１６を有し、これらの案内部内に、図１に関して左から個々の接点１２が、接点支持体１１内に差込まれ、図３に１７によって示された押込み方向も参照されたい。
【００１８】
図５がさらに示すように、係止区間１５は、その押込み方向１７において前方に置かれた端部にほぼハンマヘッド状に広げられた区間１８を有する。この区間の幅は、一層狭い接点支持体１１の図３に１９で示された範囲を除いて、溝１６の内側の内部溝間隔に同調されているので、この位置において“ハンマヘッド”は、接点支持体１１の絶縁材料内に引っ掛かることができる。
【００１９】
係止脚１５に、本実施例において１８０°より小さい曲げ部２０によって、すでに述べた接点区間１３が続いている。これに続く直線の区間２１に続いて、接点区間１３は、凸状の膨らみ２２を有し、この膨らみに、対向する曲げ部２３が続いており、この曲げ部は、端部端面区間２４に移行している。この端部端面区間は、接点支持体１１のポケット状の切り欠き２５に噛み合い、かつ接点支持体側の支援又は支持対面２６を下からつかんでいる。図３及び図４は、この下からつかむことに基づいて、ばね区間の端部が、確実に接触するように接点支持体１１内に差込まれており、かつ操作に抗してばねが保護されていることを、良好に説明している。
【００２０】
接点区間１３は、この位置において弾性的に初応力を受けており、かつその端部区間２４は、ばね戻し力の作用を受けて、絶縁ハウジング１１の支持台面２６に接触している。この機能に基づいて、接点脚１３の端部区間２４は、以下において支持台片２７とも称する。
【００２１】
接点１３の係止区間１５の図面に関して左側の端部における曲げ部２０に対向する端部に、別の曲げ部２８があり、この曲げ部にすでに述べた接点区間１４が続いており、この接点区間の自由端に又はその近くに、接点領域２９がある。最初に述べた接点区間１３の接点領域は、膨らみ２２の範囲にあり、かつ３０によって示されている。
【００２２】
図６と図５を比較すれば、ばね区間１３として形成された接点区間は、端部側の支持台片２７が係止区間１５の配置範囲を通過することができる程度に、係止区間１５に対して相対的に動くことができることが示されている。図示した実施例において、−ばね区間１３の十分な転向の際に−、係止区間１５の実際の通過が行なわれる。そのためにこの係止区間は、スリット状の中央切り欠き３１を有する。さらに図５及び６から明らかなように、支持台片２７が切り欠き３１を通過することができる位置は、ハンマヘッド状の広がり部１８にあり、したがって直接接点１２のための接点支持体側のロック範囲１９にある。
【００２３】
接点１２のばね脚１３が、一方において初応力をかけられており、かつ他方において支持台片２７がそれどころかここを通過することができる程度に、ばね脚が係止区間１５に向かって動くことができるということに基づいて、接触装置１０は、全体としてきわめて扁平に構成することができ、かつそれ故にわずかしか組込み空間を必要とせず、かつ他方において電気的に導通接続するために必要な接点力が急速に構成され、かつそれによりばね行程を最小にすることができるようになる。
【００２４】
図７は、−接点１２の長手断面において−、押込まれた接点区間１３及び１４を含む本発明による接触装置１０の組込み状況を示している。この図において３２によって、例えば移動電話のような装置の壁が示されており、この壁は切り欠き３３を有する。この切り欠き３３は、接触装置１０の接点支持体１１を収容するために使われる。その他に３４によって、装置内部の電気回路又はプリント板が示されているが、一方３５は、回路に接触すべき構成要素、例えば蓄電池を示している。
【００２５】
その接点領域２９を有する接点区間１４は、プリント板３４の接点側に圧力結合して接触しており、しかも接点区間１４のばね初応力の影響を受けて接触している。
【００２６】
対向する接点区間１３は、その接点領域３０によってバッテリー３５の図示しない極に接触している。
【００２７】
蓄電池を挿入していない際の通常の位置において、接点区間１３の接点領域３０は、例えば図４に示すように、接点支持体１１のハウジングからはっきりと突出している。蓄電池３５を挿入する際に、ばね片１３は、矢印３６（図４）の方向に負荷をかけられ、かつ図６及び図７に示された最終位置が生じるまで動かされる。その際、支持台片２７が接点ばね１２の係止区間１５の切り欠き３１内に、又は係止区間１５を通ってどの程度延びるかは、最終的に図７に示された構成部分と要素との間に生じる公差に依存している。しかし矢印３６の方向のそれ以上の力が、接点１２のばね脚１３に作用した場合にも、支持台片２７が、係止区間１５の表面１５ａに当たらず、かつこの時、なおここに載らないということが重要である。
【図面の簡単な説明】
【図１】本発明に相当する接触装置の斜視図である。
【図２】図１に対して大体において反対側の視角から見た図である。
【図３】接触装置の長手断面図である。
【図４】その側面図である。
【図５】負荷をかけない位置における接触装置の接点の斜視図である。
【図６】そのばね区間の負荷をかけた位置における図５による接点の図である。
【図７】装置内に挿入したその位置において接触装置を示す長手断面図である。
【符号の説明】
１０　接触装置
１１　接点支持体
１２　接点
１３　ばね区間
１４　接点区間
１５　係止区間
２０　曲げ部
２４　端部区間
２６　支持台
２７　支持台片
２８　曲げ部
３１　通口
３４　電子回路
３５　電圧源
【図１】
2004111364.tif 000003
【図２】
2004111364.tif 000004
【図３】
2004111364.tif 000005
【図４】
2004111364.tif 000006
【図５】
2004111364.tif 000007
【図６】
2004111364.tif 000008
【図７】
2004111364.tif 000009